(57)【要約】【課題】踏み台が梯子等から脱落したり、横ずれしたり、或いは作業員が踏み桟を踏み外したりすることがなく、安全性を十分に確保する。【解決手段】本発明の踏み台１は、基端側を支点に回動可能に設けられ、梯子又は脚立５側に折り畳み可能且つ足踏み姿勢に保持可能な足踏み部４と、足踏み部４の基端側に設けられ、踏み桟６に上方から掛止可能なフック状の掛止部３と、掛止部３を踏み桟６に掛止させた状態で、足踏み部４を足踏み姿勢側に回動させると踏み桟６の下方に突出する一方、足踏み部４を梯子又は脚立５側に折り畳むと踏み桟６の下方から退く脱落防止部１４とを備えていることを特徴とする。【選択図】図１
2011021331.tif 000002
【特許請求の範囲】
【請求項１】
梯子又は脚立の踏み桟に着脱自在に設けられる踏み台であって、
基端側を支点に回動可能に設けられ、前記梯子又は脚立側に折り畳み可能且つ足踏み姿勢に保持可能な足踏み部と、
該足踏み部の基端側に設けられ、前記踏み桟に上方から掛止可能なフック状の掛止部と、
該掛止部を前記踏み桟に掛止させた状態で、前記足踏み部を足踏み姿勢側に回動させると前記踏み桟の下方に突出する一方、前記足踏み部を前記梯子又は脚立側に折り畳むと前記踏み桟の下方から退く脱落防止部と、
を備えていることを特徴とする踏み台。                                             
【請求項２】
前記掛止部を前記踏み桟に掛止させた状態で、前記足踏み部を足踏み姿勢側に回動させると前記梯子又は脚立の支柱の外側側方に突出する一方、前記足踏み部を前記梯子又は脚立側に折り畳むと前記支柱の外側側方から退く横ずれ防止部を備えている請求項１に記載の踏み台。
【請求項３】
前記足踏み部には、該足踏み部を前記梯子又は脚立側に折り畳んだ時に作業員の足が前記踏み桟に掛かるように開口部が形成されている請求項１又は２に記載の踏み台。
【請求項４】
前記開口部には、前記足踏み部を足踏み姿勢側に回動させると前記開口部に移動して足踏み姿勢を保つ一方、前記足踏み部を前記梯子又は脚立側に折り畳むと前記開口部から退く落下防止部を備えている請求項１〜３のいずれか１の請求項に記載の踏み台。
【請求項５】
前記足踏み部に足場板を固定するための足場板固定部を備えており、該足場板固定部は、前記足踏み部の先端において上下にスライド可能且つ前記足踏み部に沿って固定可能な支持部と、該支持部の端部に形成される押え部とを備えている請求項１〜４のいずれか１の請求項に記載の踏み台。
【発明の詳細な説明】
【技術分野】
【０００１】
本発明は、梯子又は脚立の踏み桟に着脱自在に取り付けられる踏み台に関するものである。
【背景技術】
【０００２】
工事現場等において高所作業を行う場合、簡易な足場として梯子や脚立が使用されることがあるが、従来の梯子や脚立は、踏み桟が狭い。そのため、作業員が安定な姿勢を保つことが難しく、疲れやすく、作業効率が悪いと共に、安全性を高めることが難しいといった問題があった。
【０００３】
そこで、近年では、梯子の踏み桟に着脱自在に取り付けることのできる梯子用足踏み台が提案されている。この梯子用足踏み台は、梯子の踏み桟に引っ掛けるための丸棒製フックが先端に形成されているアーム体と、前記フックを第１踏み桟に掛けた時に該第１踏み桟の一段下の第２踏み桟の近傍位置に設けられる踏み板と、前記フックを第１踏み桟に掛けた時に第２踏み桟とその一段下の第３踏み桟との間に位置するように設けられる仮足置き棒とを備え、前記踏み板が折り畳み状態と足置き状態とに回動可能なようにも受けられているものである（例えば、特許文献１参照）。
【先行技術文献】
【特許文献】
【０００４】
【特許文献１】特開２００７−３２１３３号公報
【非特許文献】
【０００５】
【非特許文献１】「かけ丸」のウェブサイト（http://kakemaru.com/index.html）
【発明の概要】
【発明が解決しようとする課題】
【０００６】
しかしながら、上記した従来の梯子用足踏み台は、フックが丸棒から成り、踏み桟との接触面積が小さいと共に、フックが踏み桟に固定されていないため、作業員が踏み板上に乗った時に不安定感があり、安心して作業ができないといった問題があった。
【０００７】
また、作業員が踏み板上で左右いずれか一方に荷重を掛けた場合には、反対側が跳ね上がり、フックが踏み桟から外れるおそれがあり、さらに、作業員の体勢によっては踏み板が横ずれするおそれもあり、安全性を十分に確保することができないといった問題があった。
【０００８】
さらにまた、踏み台を折り畳んだ状態で取り付けた梯子を作業員が昇降する場合、仮足置き棒とその上下の踏み桟との間隔が他の踏み桟間の間隔と異なると共に、仮足置き棒の踏み幅が細いため、作業員が仮足置き棒や踏み桟を踏み外すおそれがあり、安全性上問題があった。
【０００９】
本発明は、上記した課題を解決すべくなされたものであり、踏み台が梯子等から脱落したり、横ずれしたり、或いは作業員が踏み桟を踏み外したりすることがなく、安全性を十分に確保することのできる踏み台を提供することを目的とするものである。
【課題を解決するための手段】
【００１０】
上記した目的を達成するため、本発明は、梯子又は脚立の踏み桟に着脱自在に設けられる踏み台であって、基端側を支点に回動可能に設けられ、前記梯子又は脚立側に折り畳み可能且つ足踏み姿勢に保持可能な足踏み部と、該足踏み部の基端側に設けられ、前記踏み桟に上方から掛止可能なフック状の掛止部と、該掛止部を前記踏み桟に掛止させた状態で、前記足踏み部を足踏み姿勢側に回動させると前記踏み桟の下方に突出する一方、前記足踏み部を前記梯子又は脚立側に折り畳むと前記踏み桟の下方から退く脱落防止部とを備えていることを特徴とする。
【００１１】
そして、本発明に係る踏み台は、前記掛止部を前記踏み桟に掛止させた状態で、前記足踏み部を足踏み姿勢側に回動させると前記梯子又は脚立の支柱の外側側方に突出する一方、前記足踏み部を前記梯子又は脚立側に折り畳むと前記支柱の外側側方から退く横ずれ防止部を備えているのが好ましい。
【００１２】
また、本発明に係る踏み台において、前記足踏み部には、該足踏み部を前記梯子又は脚立側に折り畳んだ時に作業員の足が前記踏み桟に掛かるように開口部が形成されているのが好ましい。
【００１３】
さらに、本発明に係る踏み台において、前記開口部には、前記足踏み部を足踏み姿勢側に回動させると前記開口部に移動して足踏み姿勢を保つ一方、前記足踏み部を前記梯子又は脚立側に折り畳むと前記開口部から退く落下防止部を備えているのが好ましい。
【００１４】
さらにまた、本発明に係る踏み台は、前記足踏み部に足場板を固定するための足場板固定部を備えており、該足場板固定部は、前記足踏み部の先端において上下にスライド可能且つ前記足踏み部に沿って固定可能な支持部と、該支持部の端部に形成される押え部とを備えているのが好ましい。
【発明の効果】
【００１５】
本発明によれば、踏み台が梯子等から脱落したり、横ずれしたり、或いは作業員が踏み桟を踏み外したりすることがなく、安全性を十分に確保することができる等、種々の優れた効果を得ることができる。
【図面の簡単な説明】
【００１６】
【図１】本発明の実施の形態に係る踏み台を示す斜視図である。
【図２】本発明の実施の形態に係る踏み台を示す平面図である。
【図３】本発明の実施の形態に係る踏み台を足踏み位置に保持した状態を示す側面図である。
【図４】本発明の実施の形態に係る踏み台を折り畳んだ状態を示す側面図である。
【図５】本発明の実施の形態に係る踏み台を示す正面図である。
【図６】本発明の実施の形態に係る踏み台を梯子又は脚立に取り付けた状態を示す側面図である。
【発明を実施するための形態】
【００１７】
以下、図面を参照しつつ、本発明の実施の形態について説明する。ここで、図１は本発明の実施の形態に係る踏み台を示す斜視図、図２は同踏み台を示す平面図、図３は同踏み台を足踏み位置に保持した状態を示す側面図、図４は同踏み台を折り畳んだ状態を示す側面図、図５は同踏み台を示す正面図、図６は同踏み台を梯子又は脚立に取り付けた状態を示す側面図である。
【００１８】
本実施の形態に係る踏み台１は、基端側に設けられる横架材２と、横架材２に設けられる掛止部３と、掛止部３とは反対側において横架材２に設けられる足踏み部４とを備え、梯子又は脚立５の踏み桟６に着脱自在に設けられている。
【００１９】
掛止部３は、左右２箇所に設けられ、梯子又は脚立５の踏み桟６の踏み幅に合致するように金属板をフック状に屈曲することにより形成され、頂面３ａが踏み桟６の踏み面６ａに接触するようになっている。そして、掛止部３は、各種メーカーの梯子又は脚立５に取付可能なように、各掛止部３，３の外側間の寸法Ｌ（図２参照）が、例えば、３１０ｍｍ以内となるように取り付けられている。また、横架材２は、各種メーカーの梯子又は脚立５に取付可能なように、片側が長くなるように形成されている。
【００２０】
足踏み部４は、角パイプを格子状に組み付けることにより形成され、例えば幅４２０ｍｍ、奥行き２８５ｍｍの寸法を有している。そして、足踏み部４は、丁番７を介して横架材２に回動可能に取り付けられており、これにより梯子又は脚立５側に折り畳み可能となる。また、足踏み部４の下面には、左右両側の基端側に側面視三角形状のストッパ８がそれぞれ固着されており、このストッパ８が横架材２に当接することにより足踏み部４は足踏み姿勢に保持される。
【００２１】
さらに、足踏み部４には、両側に小さ目の矩形開口部９が２個ずつ形成されていると共に、中央に大き目の矩形開口部１０が１個形成されている。そして、この中央の開口部１０の先端側には、開口部１０を横切るように丸棒１１が渡設されており、丸棒１１に落下防止部１２が設けられている。
【００２２】
落下防止部１２は平面視でＴ字状を成し、先端側が丸棒１１に枢支され、基端側は開口部１０側に突出するように足踏み部４に設けられた突部１３に支持されるようになっている。これにより、落下防止部１２は足踏み部３を足踏み姿勢に保持すると、突部１３に支持されて開口部１０内で足踏み姿勢を保つようになる。
【００２３】
足踏み部４の基端部には、金属板を逆Ｌ字状に屈曲することにより形成された脱落防止部１４が固着されており、この脱落防止部１４は、足踏み部４を足踏み姿勢側に回動させると、掛止部３の頂面３ａの下方及び踏み桟６の下方に突出する一方（図３又は図６の下側の図参照）、足踏み部４を梯子又は脚立５側に折り畳むと、掛止部３の頂面３ａの下方及び踏み桟６の下方から退くようになっている（図４又は図６の上側の図参照）。
【００２４】
また、足踏み部４の一方の側面には、短冊状の金属板から成る横ずれ防止部１５が固着されており、この横ずれ防止部１５は基端側部分が横架材２より基端側に突出するように設けられている。これにより、横ずれ防止部１５は、掛止部３を踏み桟６に掛止させた状態で、足踏み部４を足踏み姿勢側に回動させると、梯子又は脚立５の支柱１６の外側側方に突出する一方（図３又は図６の下側の図参照）、足踏み部４を梯子又は脚立５側に折り畳むと、支柱１６の外側側方から退くようになっている（図４又は図６の上側の図参照）。
【００２５】
さらに、足踏み部４の先端左右角部には、足踏み部４に足場板を固定するための足場板固定部１７がそれぞれ設けられている。この足場板固定部１７は、足踏み部４の下面に設けられたボルト取付部１８と、ノブボルト１９をボルト取付部１８に螺合することにより固定される固定金具２０とにより構成されている。ボルト取付部１８は正面と外側側方の２方向からノブボルト１９を螺合可能なように２箇所に設けられており、これにより、足踏み部４に対して足場板を２方向に固定できるようになっている。
【００２６】
固定金具２０は、長孔２１が形成された支持部２２と、支持部２２の先端部から直角に屈曲されて形成された押え部２３とにより構成されており、上下にスライド可能且つ足踏み部４に沿って固定可能となっている。
【００２７】
次に、図面を参照しつつ、上記した構成を備えた踏み台１の使用方法について説明する。
【００２８】
先ず、足踏み部４を折り畳んだ状態で踏み台１の掛止部３を梯子又は脚立５の所望な段の踏み桟６に上方から引っ掛け、横ずれ防止部１５の近傍の掛止部３を梯子又は脚立５の一方の支柱１６の内側面に接触させておく。そうすると、梯子又は脚立５が傾斜しているため、図６の上側の図に示すように、落下防止部１２は丸棒１１を支点に梯子又は脚立５側に回転し、落下防止部１２の下方に作業員の靴が入る程度のスペースが生じる。
【００２９】
この状態で、作業員が、踏み桟６に足を掛けて梯子又は脚立５を上り、踏み台１を引っ掛けた踏み桟６において作業員が前記スペースに靴先を入れると、落下防止部１２はさらに梯子又は脚立５側に回転し、作業員は踏み桟６に足を掛けることができる。この時、落下防止部１２と踏み桟６との間に靴先が挟まれないように落下防止部１２の長さを設定することにより、作業員は、踏み桟６に対する足掛け動作を一層円滑且つ安全に行なうことができるようになる。また、踏み台３を折り畳んだ状態で取り付けた梯子や脚立５を作業員が昇降する場合であっても、作業員が足を掛ける各踏み桟６間の間隔がすべて同じであるため、作業員が踏み桟６を踏み外すおそれがなく、安全性の向上を一段と図ることができる。
【００３０】
さらに、作業員が踏み台３を引っ掛けた踏み桟６の一段上の踏み桟（図示省略）まで上り、片足で足踏み部４を下方（図６の上側の図の矢印方向）に蹴り、横架材２を支点に回転させると、ストッパ８が横架材２に当接し、足踏み部４は足踏み姿勢に保持される。
【００３１】
この時、図６の下側の図に示すように、脱落防止部１４が踏み桟６の下方に突出し、踏み桟６は掛止部３と脱落防止部１４との間に挟持されるため、踏み台１の脱落を防止することができる。また、横ずれ防止部１５が梯子又は脚立５の一方の支柱１６の外側側方に突出し、横ずれ防止部１５と一方の掛止部３との間に一方の支柱１６が挟持されるため、踏み台１の横ずれを防止することができる。さらに、足踏み部４が足踏み姿勢に保持されることにより、落下防止部１２は丸棒１１を支点に上記した回転方向とは反対方向に回転し、突部１３に支持されて開口部１０内で足踏み姿勢を保持するため、作業員の足が開口部１０を通り抜け、落下することはない。
【００３２】
なお、この場合、足場板固定部１７は、図６の上側の図に実線で示されているように、固定金具２０を足踏み部４に沿って固定するか、或いは足踏み部４から外しておき、足踏み部４の上方に突出しないようにしておき、作業員の足が固定金具２０に引っ掛かるのを防止する。
【００３３】
このように、足踏み姿勢に保持された足踏み部４の上に載って作業員が所望の高所作業を行う場合、作業員が足踏み部４の左右いずれか一方に荷重を掛けたとしても、反対側が跳ね上がったり、掛止部３が踏み桟６から外れたりするおそれがなく、また、作業員の体勢によって足踏み部４が横ずれしたりするおそれもないため、安定感があり、作業員が安心して高所作業を行うことができ、高所作業の安全性を十分に確保することができる。
【００３４】
また、複数の梯子や脚立５の間に足場板（図示省略）を掛け渡して高所作業を行う場合には、作業者がノブボルト１９を手で回転させて緩め、固定金具２０を上下にスライドさせ、押え部２３の高さを前記足場板の厚みに合わせる。そして、ノブボルト１９をボルト取付部１８に締め付け、押え部２３により前記足場板を押圧し、足踏み部４に固定する。この時、ボルト取付部１８は正面と外側側方の２方向からノブボルト１９を螺合可能なように２箇所に設けられているため、足場を設置する現場の状況等に合わせて、足踏み部４に対する足場板の固定の向きを変更することができる。
【００３５】
このように踏み台１を使用して所望の高所作業が終了すると、作業員は、再び、踏み台１を引っ掛けた踏み桟６の一段上の踏み桟（図示省略）まで上り、片足を足踏み部４の開口部９又は１０に引っ掛け、横架材２を支点に足踏み部４を上方に回転させ、折り畳む。その後、作業員は、踏み桟６に足を掛けて梯子又は脚立５を下り、踏み台１の掛止部３を梯子又は脚立５の踏み桟６から取り外す。
【００３６】
なお、上記した実施の形態において説明した踏み台１の形状、寸法及び材質等は単なる例示に過ぎず、本発明は上記した例示の場合に限定される趣旨ではなく、各種変更が可能であることは言う迄もない。
【符号の説明】
【００３７】
１          踏み台
３          掛止部
４          足踏み部
５          梯子又は脚立
６          踏み桟
１０        開口部
１２        落下防止部
１４        脱落防止部
１５        横ずれ防止部
１６        支柱
２０        足場板固定部
２２        支持部
２３        押え部
【図１】
2011021331.tif 000003
【図２】
2011021331.tif 000004
【図３】
2011021331.tif 000005
【図４】
2011021331.tif 000006
【図５】
2011021331.tif 000007
【図６】
2011021331.tif 000008